(57)【要約】【課題】隣接する２つの表示器の境界部分が目立たない表示装置を提供する。【解決手段】表示装置１００は互いに隣接して配置された第１表示器１０と第２表示器２０とを備える。第１表示器１０は、光を照射する第１バックライト光源と、第１バックライト光源からの光を受けて情報を表示する第１表示板１１と、を備える。第２表示器２０は、光を照射する第２バックライト光源９２ａ、９４、９６と、第２バックライト光源９２ａ、９４、９６からの光を受けて情報を表示する第２表示板２１と、を備える。表示装置１００は、第１バックライト光源と第２バックライト光源９２ａとの間に配設された仕切り板６２ａ、７２ａを備える。仕切り板６２ａ、７２ａと第１表示板１１及び第２表示板２１との間には、第１バックライト光源からの光の一部を第２表示板２１に到達させ、かつ第２バックライト光源９２ａからの光の一部を第１表示板１１に到達させる隙間が形成される。【選択図】図２
2018080954.tif 000002
【特許請求の範囲】
【請求項１】
互いに隣接して配置された第１表示器と第２表示器とを備える表示装置であって、
前記第１表示器は、
光を照射する第１バックライト光源と、
前記第１バックライト光源からの前記光を受けて情報を表示する第１表示板と、を備え、
前記第２表示器は、
光を照射する第２バックライト光源と、
前記第２バックライト光源からの前記光を受けて情報を表示する第２表示板と、を備え、
前記表示装置は、
前記第１バックライト光源と前記第２バックライト光源との間に配設された仕切り板を備え、
前記仕切り板と前記第１表示板及び前記第２表示板との間には、前記第１バックライト光源からの前記光の一部を前記第２表示板に到達させ、かつ前記第２バックライト光源からの前記光の一部を前記第１表示板に到達させる隙間が形成される、
表示装置。
【請求項２】
前記第１表示器は、前記第１バックライト光源からの前記光を受けて前記光を前記第１表示板に導く導光体を備える、請求項１に記載の表示装置。
【請求項３】
前記第１バックライト光源の発光色と前記第２バックライト光源の発光色とが同色又は同系統色である、請求項１又は２に記載の表示装置。
【請求項４】
前記第１バックライト光源と前記第２バックライト光源の少なくともいずれかが発光強度を調節可能である、請求項１乃至３のいずれか１項に記載の表示装置。
【請求項５】
前記第２バックライト光源は第１発光源と第２発光源とを備え、
前記第１発光源を囲んで立設され、前記第１発光源からの光を前記第２表示板の背面に導く導光筒部をさらに備える、請求項１乃至４のいずれか１項に記載の表示装置。
【請求項６】
前記導光筒部の上端部は前記第２表示板に当接する、請求項５に記載の表示装置。
【請求項７】
前記第１バックライト光源と前記第２発光源の発光色が同じで、前記第１発光源と前記第２発光源の発光色が異なる、請求項５又は６に記載の表示装置。
【請求項８】
前記第１発光源が照光する範囲を除く前記第２表示板の背面に拡散層が配設されている、請求項５乃至７のいずれか１項に記載の表示装置。
【請求項９】
前記仕切り板は、前記第１バックライト光源を囲んで立設された第１仕切り板の一部と前記第２バックライト光源を囲んで立設された第２仕切り板の一部とが隣接して構成される、請求項１乃至８のいずれか１項に記載の表示装置。
【発明の詳細な説明】
【技術分野】
【０００１】
本発明は、複数の表示器を備えた表示装置に関する。
【背景技術】
【０００２】
自動車の運転席正面のダッシュボードには、運転に必要な情報を運転者に提示するさまざまな表示装置が配置されている。
【０００３】
従来の表示装置のひとつとして、例えば特許文献１（特開２０１５−５２７３２号公報）に開示されるものがある。この表示装置は、第一の表示器と、第二の表示器と、第一の表示器及び第二の表示器を透視する保護パネル部材と、を備える。第一の表示器と第二の表示器は、各々裏面側からそれぞれ別個の発光源（例えばＬＥＤ）により照光されることにより、それぞれが情報を表示する。
【先行技術文献】
【特許文献】
【０００４】
【特許文献１】特開２０１５−５２７３２号公報
【発明の概要】
【発明が解決しようとする課題】
【０００５】
特許文献１に開示された表示装置のように、個別に発光源を有する２つ又はそれ以上の表示器を隣接して設けた場合に、隣接する２つの表示器間で発光の色調や発光強度などが異なると、両者の表示の見栄えが異なって観者に違和感を与えることがある。
【０００６】
特に、隣接する２つの表示器の境界が目立ってしまうと、意匠的な美観を損なう結果となる。そのため、隣接する２つの表示器の境界部分が目立たない、いわゆるシームレスに発光する表示装置が望まれている。
【０００７】
本発明は上記のような問題を解決するためになされたものであり、隣接する２つの表示器の境界部分が目立たない表示装置を提供することを目的とする。
【課題を解決するための手段】
【０００８】
上記目的を達成するため、本発明に係る表示装置は、
互いに隣接して配置された第１表示器と第２表示器とを備える表示装置であって、
前記第１表示器は、
光を照射する第１バックライト光源と、
前記第１バックライト光源からの前記光を受けて情報を表示する第１表示板と、を備え、
前記第２表示器は、
光を照射する第２バックライト光源と、
前記第２バックライト光源からの前記光を受けて情報を表示する第２表示板と、を備え、
前記表示装置は、
前記第１バックライト光源と前記第２バックライト光源との間に配設された仕切り板を備え、
前記仕切り板と前記第１表示板及び前記第２表示板との間には、前記第１バックライト光源からの前記光の一部を前記第２表示板に到達させ、かつ前記第２バックライト光源からの前記光の一部を前記第１表示板に到達させる隙間が形成される。
【発明の効果】
【０００９】
本発明によれば、隣接する２つの表示器の境界部分が目立たない表示装置を提供することができる。
【図面の簡単な説明】
【００１０】
【図１】本発明の実施の形態１に係る表示装置の前面側から見た正面外観図である。
【図２】（ａ）は図１に示す表示装置のＡ−Ａ断面図、（ｂ）は図１に示す表示装置のＢ−Ｂ断面図である。
【図３】（ａ）は図１に示す表示装置のＣ−Ｃ断面図、（ｂ）は図１に示す表示装置のＤ−Ｄ断面図である。
【図４】（ａ）は図１のＡ−Ａ断面を部分的に示した拡大模式図、（ｂ）は図４（ａ）のＸ部の拡大図である。
【図５】本発明の変形例１に係る表示装置の拡大断面模式図である。
【図６】本発明の変形例２に係る表示装置の拡大断面模式図である。
【図７】本発明の変形例３に係る表示装置の拡大断面模式図である。
【発明を実施するための形態】
【００１１】
（実施の形態１）
本発明の実施の形態１に係る表示装置について、図面を参照して説明する。本発明の実施の形態１に係る表示装置１００は、乗用車の運転席正面のダッシュボードに配置されるものである。図１に示すように、表示装置１００は、ナビゲーション情報等を表示する第１表示器１０と、車速度や警告灯などを表示する第２表示器２０とが隣接して配置されて構成されている。隣接するとは、特記しない場合、接して隣り合っている場合と、離間して隣り合っている場合とを含む。なお図１では、収納ケースや装飾のためのカバー等は除いて示している。
【００１２】
第１表示器１０は、表示内容が決められていない、任意の情報を表示するための表示器である。第１表示器１０は、アクティブな透過型液晶の第１表示板１１を備えて構成されている。
【００１３】
第２表示器２０は、車速度、エンジン回転数、警告灯（第１警告表示２７、第２警告表示２８）などの、車を運転する際に必須な情報を表示するための表示器である。これらの情報は、予め表示内容や表示位置が決められている。第２表示器２０は、パッシブな透過型液晶の第２表示板２１を備えて構成されている。
【００１４】
図２及び図３を参照して表示装置１００の全体構造を説明する。なお、図２では、図の上側が表示装置１００の前面側、即ち運転者が視認する側であり、図の下側がその反対側である背面側である。また図３では、図の左側が前面側、図の右側が背面側である。
【００１５】
まず表示装置１００の第１表示器１０について説明する。図２に示すように、第１表示器１０は、前面に第１透光性基板３１が配置され、背面に平坦な第１制御基板（支持板）５１が配置されている。第１透光性基板３１は透明ガラス又はスモークガラスからなる。第１制御基板５１は、第１透光性基板３１やその他の部材を支持するとともに第１制御基板５１の上に配設された光源を制御する回路を含む樹脂基板である。なお、第１透光性基板３１の材質は、透光性を有していればガラスに限られない。例えば、ポリメチルメタクリレート（ＰＭＭＡ）やポリカーボネート（ＰＣ）などの透明樹脂又はスモーク樹脂でもよい。また、第１透光性基板３１は透光性を有するように任意の色に着色されていてもよい。
【００１６】
第１透光性基板３１の背面には、薄膜トランジスタ（ＴＦＴ、Thin Film Transistor）液晶パネルである第１表示板１１が配設されている。なお、第１表示板１１の制御部や配線等は従来技術を用いることができ、記載を省略している。
【００１７】
より詳細には、図４（ａ）に示すように、第１表示板１１は、第１透光性基板３１の背面に透光性接着剤１３を用いて貼り付けられている。透光性接着剤１３は、光透過性を有する接着剤であり、ＯＣＡ（Optical Clear Adhesive）又はＯＣＲ（Optical Clear Resin）を用いることができる。透光性接着剤１３は、第１透光性基板３１と同じ、又は同等の屈折率を有することが好ましい。第１透光性基板３１と同じ、又は同等の屈折率を持つ透光性接着剤１３を用いることにより、異なる屈折率を持つ透光性接着剤１３を用いる場合に比べて、第１表示板１１の表示のひずみが軽減される。また、第１透光性基板３１と同じ、又は同等の屈折率を持つ透光性接着剤１３で第１透光性基板３１と第１表示板１１との間を埋めることで、表示光の損失が低減できる。
【００１８】
第１表示板１１の周囲には、遮光層３６が設けられている。遮光層３６は、第１透光性基板３１の背面に設けられている。遮光層３６は、シルク印刷、オフセット印刷、塗布等により第１透光性基板３１の背面に形成することができる。遮光層３６は、黒色等の暗色系の色調を有しており、表示に不要な光を遮光するとともに、第１表示器１０と第２表示器２０との間の光り方の違いを目立たなくさせるための部材である。
【００１９】
第１透光性基板３１の前面には、全面に無反射層３３が設けられている。無反射層３３は、防眩処理や反射防止処理を施した層である。無反射層３３は、第１透光性基板３１の前面側から入射する光が反射するのを抑制し、第１表示板１１の視認性を向上させるための部材である。
【００２０】
図２に戻り、第１表示板１１の背面側には、第１表示板１１を覆う程度の大きさの導光体８０が、第１表示板１１に平行かつ離間して配置されている。導光体８０は、図３（ａ）に示すように、その一端が曲げられており、その端部８２は第１光源（第１バックライト光源）９０に対向している。導光体８０は、例えば透明なポリメチルメタクリレート（ＰＭＭＡ）からなり、第１光源９０から発せられた光を端部８２で受光し、その光を導光体８０の内部で反射させつつ、第１表示板１１に面した表面から放出する。このように導光体８０は、第１光源９０からの光を第１表示板１１の全面に均等に分配する役割を有する。
【００２１】
第１光源９０は第１制御基板５１の上に配設されている。第１光源９０は、第１表示板１１を導光体８０を介して均等に照光する、白色光のＬＥＤ（Light Emitting Diode）バックライト光源である。
【００２２】
図２、図３（ａ）に示すように、第１制御基板５１には、第１制御基板５１から第１表示板１１に向けて、第１光源９０と導光体８０の周囲を取り囲むように仕切り板（第１仕切り板）６２、６２ａが立設されている。また仕切り板６２は、導光体８０の背面側にも導光体８０から離間して設けられている。仕切り板６２、６２ａは、第１光源９０からの光や導光体８０から漏れ出た光を反射させて第１表示板１１の方向へ向けるための反射板である。仕切り板６２ａは、第２表示器２０側に設けられた仕切り板であり、仕切り板６２は、それ以外の部分に設けられた仕切り板である。仕切り板６２、６２ａは、例えば白色のポリプロピレン（ＰＰ）樹脂からなる。
【００２３】
仕切り板６２ａの上端は、第１透光性基板３１、第１表示板１１及び第２表示板２１のいずれにも接していない。言い換えれば、仕切り板６２ａの第１制御基板５１からの高さは、第１表示板１１及び第２表示板２１の第１制御基板５１からの高さよりも低い。ここで「高さ」とは、図２（ａ）、（ｂ）においては上下方向の距離、図３（ａ）、（ｂ）においては左右方向の距離である。
【００２４】
次に、第２表示器２０について説明する。図２に示すように、第２表示器２０は、前面に第２透光性基板３２が配置され、背面に平坦な第２制御基板（支持板）５２が配置されている。第２透光性基板３２と第２制御基板５２の材質や役割は、第１透光性基板３１と第１制御基板５１のそれと同様である。
【００２５】
第２透光性基板３２の背面には、パッシブ液晶パネルである第２表示板２１が配設されている。第２表示板２１の制御部や配線等は従来技術を用いることができ、記載を省略している。
【００２６】
より詳細には、図４（ａ）に示すように、第２表示板２１は第２透光性基板３２の背面に透光性接着剤２３を用いて貼り付けられている。透光性接着剤２３は、光透過性を有する接着剤であり、ＯＣＡ又はＯＣＲを用いることができる。透光性接着剤２３は、第２透光性基板３２と同じ、又は同等の屈折率を有することが好ましい。この理由は、透光性接着剤１３において説明したとおりである。
【００２７】
第２表示板２１の周囲には、遮光層３７が設けられている。遮光層３７は、第２透光性基板３２の背面に設けられている。遮光層３７の役割や形成方法は、遮光層３６と同様である。
【００２８】
第２表示板２１は、その背面に拡散層２４を備えている。拡散層２４は、第２光源９２からの光が第２表示板２１に均等に照射するように光を拡散させるための部材である。拡散層２４は、例えばポリカーボネートシートに透過率を低下させる透光性印刷をしたものを、第２表示板２１の背面に貼り付けて形成できる。あるいは第２表示板２１の背面に直接印刷してもよい。なお、図示していないが、第２表示板２１は拡散層２４を備えていなくともよい。また逆に第１表示板１１にもその背面に拡散層を備えてもよい。
【００２９】
第２透光性基板３２の前面には、全面に無反射層３３が設けられている。無反射層３３は、無反射層を有しない第１表示器１０と第２表示器２０を組み合わせた後、第１透光性基板３１と第２透光性基板３２の前面に一体的に設けたものである。無反射層３３は、第２透光性基板３２の前面側から入射する光が反射するのを抑制し、第２表示板２１の視認性を向上させるための部材である。
【００３０】
図２、図３に戻り、第２制御基板５２には、図２（ａ）に示す第１警告灯用発光源（第１発光源）９４と第２警告灯用発光源（第１発光源）９６、図２（ｂ）に示す発光源９２ａ（第２発光源）、及び図３（ｂ）に示す発光源９２ｂと発光源９２ｃ（いずれも第２発光源）が配設されている。発光源９２ａ、９２ｂ、９２ｃ、第１警告灯用発光源９４、及び第２警告灯用発光源９６を合わせて第２光源（第２バックライト光源）９２とも称する。
【００３１】
発光源９２ａ、９２ｂ、９２ｃは、第２表示板２１を背面から直接照光するための白色光のＬＥＤバックライト光源であり、第２制御基板５２の上に複数個配設されている。なお発光源９２ａ、９２ｂ、９２ｃは、図２、図３に示されない位置にも配置されている。
【００３２】
また、発光源９２ａ、９２ｂ、９２ｃの発光強度を調節する図示しない調節手段が第２制御基板５２に設けられている。発光強度は、光源の電流値又は電圧値を変えることにより容易に調節可能である。調節手段は、表示装置１００の組立時に第１表示器１０と第２表示器２０の視認輝度を同程度に調節するためのものである。
【００３３】
第１警告灯用発光源９４と第２警告灯用発光源９６は、第２表示板２１の第１警告表示２７と第２警告表示２８をそれぞれ個別に照光するための、赤色又は黄色のＬＥＤ発光源である。なお、第１警告灯用発光源９４と第２警告灯用発光源９６も白色光とし、第２表示板２１の第１警告表示２７、第２警告表示２８を赤色又は黄色に着色してそれぞれ赤色又は黄色に表示させてもよい。
【００３４】
第１表示器１０の第１光源９０と第２表示器２０の発光源９２ａ、９２ｂ、９２ｃの発光色は、いずれも白色の同一色、又は同一系統色である。これにより、第１表示器１０と第２表示器２０の表示色が同一、又は同一系統色となり、第１表示器１０と第２表示器２０を隣接して配置したときでもそれぞれの色調が統一されて見栄えがよい。
【００３５】
また、第１表示器１０と第２表示器２０の視認輝度（表示輝度）が異なる場合は、前述の調節手段によって発光源９２ａ、９２ｂ、９２ｃの発光強度を調節し、第１表示器１０と第２表示器２０の視認輝度を同程度に調節することができる。これにより、表示装置１００全体の視認輝度を統一して一体感を増加させることができる。
【００３６】
なお、発光源９２ａ、９２ｂ、９２ｃの発光強度を調節するかわりに、第１表示器１０の第１光源９０の発光強度を調節できるようにしてもよい。即ち、発光源９２ａ、９２ｂ、９２ｃと第１光源９０のうちの少なくともいずれかの発光強度を調節可能とすればよい。
【００３７】
図２（ａ）、（ｂ）に示すように、第２制御基板５２の上には、第２制御基板５２から第２表示板２１に向けて、第２光源９２の周囲を取り囲むように仕切り板（第２仕切り板）７２、７２ａが立設されている。また仕切り板７２は、第２制御基板５２から離間した位置にも第２制御基板５２に平行に設けられている。仕切り板７２、７２ａは、発光源９２ａ、９２ｂ、９２ｃからの光を反射させて第２表示板２１の方向へ向けるための反射板である。仕切り板７２ａは、第１表示器１０側に設けられた仕切り板であり、仕切り板７２は、それ以外の部分に設けられた仕切り板である。仕切り板７２ａの上端は、第２透光性基板３２、第１表示板１１及び第２表示板２１のいずれにも接していない。言い換えれば、仕切り板７２ａの第２制御基板５２からの高さは、第１表示板１１及び第２表示板２１の第２制御基板５２からの高さよりも低い。ここで「高さ」とは、前述の意味と同じである。
【００３８】
第１表示器１０の仕切り板６２ａと第２表示器２０の仕切り板７２ａとは、互いに接して隣接して形成されている。前述のように、仕切り板６２ａの上端は、第１透光性基板３１、第１表示板１１及び第２表示板２１のいずれにも接していない。即ち、図４（ｂ）に示すように、仕切り板６２ａの上には隙間６３が空いている。この隙間６３は、第１光源９０や導光体８０からの光Ｌ１が隣接する第２表示板２１まで到達するようにするための隙間である。
【００３９】
また上述のように、仕切り板７２ａの上端は、第２透光性基板３２、第１表示板１１及び第２表示板２１のいずれにも接していない。即ち、図４（ｂ）に示すように、仕切り板７２ａの上には隙間７３が空いている。この隙間７３は、発光源９２ａ、９２ｂ、９２ｃからの光Ｌ２が隣接する第１表示板１１まで到達するようにするための隙間である。
【００４０】
上記のような構成により、第１光源９０や導光体８０からの光は、仕切り板６２ａと仕切り板７２ａの上部に形成された隙間６３、７３を通って、第２表示板２１の端部を照射する。また、発光源９２ａ、９２ｂ、９２ｃからの光は、仕切り板６２ａと仕切り板７２ａの上部に形成された隙間６３、７３を通って、第１表示板１１の端部を照射する。なお、仕切り板６２ａと仕切り板７２ａの高さ、又は隙間６３、７３の大きさは、第１光源９０や発光源９２ａ、９２ｂ、９２ｃの配置、第１表示板１１や第２表示板２１の配置などに応じて適宜設定することができる。
【００４１】
実施の形態１では、仕切り板６２ａと仕切り板７２ａとは、互いに接して隣接して形成されている。この場合、仕切り板６２ａと仕切り板７２ａとをまとめて１つの仕切り板として形成してもよい。そして、その仕切り板の上端の第１制御基板５１（又は第２制御基板５２）からの高さを、第１表示板１１及び第２表示板２１の第１制御基板５１（又は第２制御基板５２）からの高さよりも低く構成すればよい。
【００４２】
なお、仕切り板６２の上端部は、第１透光性基板３１や第１表示板１１に接していても、接していなくてもよい。また仕切り板７２の上端部は、第２透光性基板３２や第２表示板２１に接していても、接していなくてもよい。
【００４３】
図２（ａ）、図３（ｂ）に示すように、第１警告灯用発光源９４の周囲四面には、第２制御基板５２から第２表示板２１に向けて、第１警告灯用の導光筒部７４が立設されている。導光筒部７４は、第２表示板２１（拡散層２４を備える場合は、図４（ａ）に示すように第２表示板２１の表面に設けられた拡散層２４）に接する高さまで設けられている。これは、第１警告灯用発光源９４からの光が導光筒部７４の外部に漏れ出ないようにし、第１警告表示２７だけを照光して明るく光らせるためである。
【００４４】
同様に、第２警告灯用発光源９６の周囲四面には、図２（ａ）に示すように、第２制御基板５２から第２表示板２１に向けて、第２警告灯用の導光筒部７６が立設されている。導光筒部７６は、第２表示板２１（拡散層２４を備える場合は、図４（ａ）に示すように第２表示板２１の表面に設けられた拡散層２４）に接する高さまで設けられている。これは、第２警告灯用発光源９６からの光が導光筒部７６の外部に漏れ出ないようにし、第２警告表示２８だけを照光して明るく光らせるためである。
【００４５】
前述のように、第１警告灯用発光源９４と第２警告灯用発光源９６は、発光源９２ａ、９２ｂ、９２ｃの白色光とは異なり、警告のための赤色光又は黄色光を発する。第１警告灯用発光源９４と第２警告灯用発光源９６は、発光源９２ａ、９２ｂ、９２ｃとは独立して発光可能である。また第１警告灯用発光源９４と第２警告灯用発光源９６とは、互いに独立して発光可能である。
【００４６】
第１警告灯用発光源９４と第２警告灯用発光源９６は、白色光〜黄色光〜赤色光に色調を調節可能な発光源であってもよい。第１警告灯用発光源９４と第２警告灯用発光源９６の色調を調節可能に構成することにより、第２表示板２１の第１警告表示２７と第２警告表示２８を変更することで、多様な警告灯を有する多種類の第２表示器２０に共通して適用することができる。
【００４７】
（効果）
上記の構成の表示装置１００は、仕切り板６２ａの上部に隙間６３を設け、仕切り板７２ａの上部に隙間７３を設けている。そのため、発光源９２ａ、９２ｂ、９２ｃからの光は、仕切り板６２ａと仕切り板７２ａの上部の隙間６３、７３を通って、第１表示板１１の端部を照射する。また、第１光源９０からの光は、仕切り板６２ａと仕切り板７２ａの上部の隙間６３、７３を通って、第２表示板２１の端部を照射する。そのため、異なる表示方式の第１表示器１０と第２表示器２０とが隣接して配置されている表示装置１００において、第１表示器１０と第２表示器２０との境界付近のバックライト光が混合されて均一となり、境界が目立たない。さらに、第１光源９０と発光源９２ａ、９２ｂ、９２ｃとが同一色又は同系統色に発光することにより、バックライト光が同一色又は同系統色で均一となり、さらに境界が目立たない。
【００４８】
また、もしも第１表示板１１と第２表示板２１の表示光の強度が異なる場合、色調が同じでも視認輝度（表示輝度）の差が目立つ場合がある。その場合は、第１光源９０又は発光源９２ａ、９２ｂ、９２ｃのいずれかの発光強度を調節して、視認輝度が同じ程度になるよう調節することができる。これにより、視認輝度の違いによる違和感が目立たなくなる。このとき、第１表示器１０と第２表示器２０との境界により近い光源の発光強度だけを調節可能としてもよい。
【００４９】
上記の特徴は、例えば表示装置１００がアクティブな（比較的高価な）第１表示板１１を備える第１表示器１０と、パッシブな（比較的安価な）第２表示板２１を備える第２表示器２０というそれぞれ異なる構成の表示器を隣接させた表示装置１００であっても、第１表示器１０と第２表示器２０との境界を目立たなくし、表示装置１００として統一がとれた表示をすることができるという点で優れている。
【００５０】
また、第１警告灯用発光源９４と第２警告灯用発光源９６を発光源９２ａ、９２ｂ、９２ｃとは独立して設けたので、発光源９２ａ、９２ｂ、９２ｃを用いて第１警告表示２７、第２警告表示２８を照光する場合に比べ、第１警告表示２７、第２警告表示２８をより明るく表示することができる。また、第１警告灯用発光源９４と第２警告灯用発光源９６のための導光筒部７４、７６をそれぞれ設けて光が漏洩することを抑制したので、さらに明瞭に表示することができる。
【００５１】
（変形例１）
実施の形態１では、図４（ａ）に示すように、導光筒部７４の上端部は拡散層２４に接している。しかし図５に示すように、第１警告灯用発光源９４に対向する位置の拡散層２４を部分的になくし、導光筒部７４の上端部が直接第２表示板２１に接するようにしてもよい。図４（ａ）に示す構成では、発光源９２ａ、９２ｂ、９２ｃが非点灯の時に、第２表示板２１の全体が均一に暗色系に見えるという効果が得られる。しかし、図５に示すように拡散層２４を介さずに照光することで、第１警告表示２７の発光時の表示輝度をより高めることができるという効果が得られる。この構成は、第２警告灯用発光源９６においても同様に適用可能である。
【００５２】
なお、第１警告灯用発光源９４と第２警告灯用発光源９６の両方、又はいずれかを設けなくてもよい。また、第１警告灯用発光源９４と第２警告灯用発光源９６のそれぞれに、導光筒部７４、７６を設けなくてもよい。
【００５３】
（変形例２）
実施の形態１では、仕切り板６２ａと仕切り板７２ａとは互いに接して隣接して形成されている。しかし図６に示すように、仕切り板６２ａと仕切り板７２ａとは互いに離間して隣接していてもよい。離間した間隔は、第１表示板１１と第２表示板２１や第１光源９０と第２光源９２の配置構成に応じて、適宜設定可能である。
【００５４】
（変形例３）
実施の形態１では、第１表示器１０は第１透光性基板３１と第１制御基板５１を有しており、第２表示器２０は第２透光性基板３２と第２制御基板５２を有している。しかし、図７に示すように、第１透光性基板３１と第２透光性基板３２を合わせて１つの透光性基板３８として形成してもよい。この場合、遮光層３６、３７を合わせて一つの遮光層３６として形成してもよい。同様に、第１制御基板５１と第２制御基板５２を合わせて１つの制御基板５３として形成してもよい。この変形例３は構成が簡単であり、製造コストを低減することができる。
【００５５】
（その他の変形例）
実施の形態１では、第１表示器１０と第２表示器２０の２つの表示器が隣接する。しかし表示器の数は限定されない。３つ以上の表示器を隣接させ、互いに隣接する２つの表示器の間を実施の形態１のように構成してもよい（図示せず）。また、仕切り板と表示板との間に隙間のない第３の表示器を加えて隣接させてもよい（図示せず）。
【００５６】
またこれらの表示器は、同じ照光方法を用いるものでもよいし、異なる照光方法を用いるものでもよい。例えば、第１表示器は光源内蔵型の表示板を備えるものとし、第２表示器は光源を基板に配置する方式のものとしてもよい。また同じタイプの照光方式を用いる表示器を隣接させてもよい。
【００５７】
また、無反射層３３、遮光層３６、３７、拡散層２４は、いずれか又は全部を備えなくてもよい。
【００５８】
実施の形態１では、第１光源９０と発光源９２ａ、９２ｂ、９２ｃとはいずれも白色光を発光する光源としたが、他の色調又は互いに異なる色調で発光するものでもよい。例えば第１光源が第１の色調で、第２光源が第２の色調とすれば、第１表示器と第２表示器の境界部分は第１の色調と第２の色調の中間色で表示される。また、第１光源と第２光源の両方又はいずれかが、色調を変更可能な光源であってもよい。
【００５９】
実施の形態１では、発光源９２ａ、９２ｂ、９２ｃの発光強度の調節手段を設けたが、調節手段は設けなくともよい。第１表示器１０が第１の光強度で表示され、第２表示器２０が第２の光強度で表示される場合でも、第１表示器１０と第２表示器２０の境界付近では第１の光強度と第２の光強度の中間の光強度で表示され、境界が目立たなくなる。
【００６０】
実施の形態１では乗用車の運転席正面のダッシュボードに配置される表示装置１００を例示したが、これに限定されず、各種車両や装置に配置される表示装置にも適用可能である。
【符号の説明】
【００６１】
１０  第１表示器
１１  第１表示板
１３  透光性接着剤
２０  第２表示器
２１  第２表示板
２３  透光性接着剤
２４  拡散層
２７  第１警告表示
２８  第２警告表示
３１  第１透光性基板
３２  第２透光性基板
３３  無反射層
３６、３７  遮光層
３８  透光性基板
５１  第１制御基板
５２  第２制御基板
５３  制御基板
６２、６２ａ  仕切り板（第１仕切り板）
６３  隙間
７２、７２ａ  仕切り板（第２仕切り板）
７３  隙間
７４、７６  導光筒部
８０  導光体
８２  端部
９０  第１光源（第１バックライト光源）
９２  第２光源（第２バックライト光源）
９２ａ、９２ｂ、９２ｃ  発光源（第２発光源）
９４  第１警告灯用発光源（第１発光源）
９６  第２警告灯用発光源（第１発光源）
１００  表示装置
【図１】
2018080954.tif 000003
【図２】
2018080954.tif 000004
【図３】
2018080954.tif 000005
【図４】
2018080954.tif 000006
【図５】
2018080954.tif 000007
【図６】
2018080954.tif 000008
【図７】
2018080954.tif 000009